(57)【要約】  本発明は、ユーザの両眼間の距離に適合するように、選択的に分離することができる第１および第２の視認通路を有する光学素子の提供に関する。この装置は、またデジタル映像を捕捉することができるようにするための少なくとも１つの映像捕捉装置も含む。本発明は、角度の調整により生じる問題を軽減するために、映像を捕捉する際に第１および第２の視認通路間の調整を考慮に入れる手段を提供する。【選択図】    図１a
2007508593.tif 000002
【特許請求の範囲】
【請求項１】
第１および第２の視認通路を含む視認装置であって、各通路が本体およびその一方の端部のところに位置する接眼レンズを備え、前記通路および／または接眼レンズ組立体は、ユーザの両眼の間の距離に適合するように位置の調整を行うことができるように、選択的に移動することができ、前記視認装置は、前記第１および／または第２の通路を通して見ることができる映像を表すデータを選択的に捕捉および／または記憶することができるように、少なくとも１つの撮像装置を含むことを特徴とする視認装置。
【請求項２】
前記少なくとも１つの撮像装置は、枢着軸に垂直な軸の光を受光するように位置していることを特徴とする、請求項１に記載の視認装置。
【請求項３】
前記視認装置は、光を視認通路から接眼レンズ組立体および／または前記少なくとも１つの撮像装置、に案内するための１つまたは複数の反射面を含むことを特徴とする、請求項２に記載の視認装置。
【請求項４】
前記接眼レンズ組立体と前記撮像装置の間の光の通路をユーザが選択することができるように、前記反射面を調整することができることを特徴とする、請求項３に記載の視認装置。
【請求項５】
前記第１および第２の視認通路の本体は、１つのユニットとして設置されていることを特徴とする、請求項１に記載の視認装置。
【請求項６】
前記少なくとも１つの撮像装置は、前記第１および／または第２の視認通路の前記本体に固定されていることを特徴とする、請求項１に記載の視認装置。
【請求項７】
前記視認装置が、前記捕捉した映像を表示するための１つまたは複数のディスプレイを含むことを特徴とする、請求項１に記載の視認装置。
【請求項８】
前記視認装置が、光を前記各視認通路の本体を通して、前記接眼レンズ組立体および／または前記少なくとも１つの撮像装置、に案内するための１つまたは複数の反射面を含むことを特徴とする、請求項１に記載の視認装置。
【請求項９】
前記１つまたは複数の反射面は、一連の相対的な角度で配置されているミラー、ビーム・スプリッタおよび／またはプリズムであることを特徴とする、請求項８に記載の視認装置。
【請求項１０】
前記１つまたは複数の反射面は、前記各視認通路および／または前記相対的に移動することができる接眼レンズ部分、の固定部分に装着されていることを特徴とする、請求項８に記載の視認装置。
【請求項１１】
前記視認通路のうちの１つは、その通路を通して見ている目に対して空白になり、一方、対象の光が前記撮像装置に入射した場合に、前記通路を通しての視野の映像データが捕捉されることを特徴とする、請求項８に記載の視認装置。
【請求項１２】
前記反射面のうちの１つまたは複数は、光を前記撮像装置および／または前記接眼レンズ組立体に案内するために移動可能であることを特徴とする、請求項８に記載の視認装置。
【請求項１３】
前記視認装置は、前記撮像装置が映像および／またはビデオを捕捉することができるようにするための作動手段を備えることを特徴とする、請求項１に記載の視認装置。
【請求項１４】
前記作動手段は、最初にミラー、プリズムおよび／またはレンズの任意の組合せを第１の位置から第２の位置に移動し、次に捕捉を開始することを特徴とする、請求項１３に記載の視認装置。
【請求項１５】
前記作動手段が解放された場合に、前記ミラー、プリズムおよび／またはレンズは、前記第１の位置に戻ることを特徴とする、請求項１４に記載の視認装置。
【請求項１６】
第１および第２の視認通路を含む視認装置であって、前記各通路は、本体およびその一方の端部のところに位置する接眼レンズ組立体を有し、前記接眼レンズ組立体が、ユーザの両眼の間の距離に適合するように位置の調整を行うことができるように前記本体に対して選択的に移動することができ、少なくとも１つの視認通路は、前記第１および／または第２の通路を通して見ることができる映像を表すデータを選択的に捕捉および／または記憶することができるように少なくとも１つの撮像装置を含み、前記接眼レンズ組立体は、前記第１および第２の視認通路の前記各本体、および前記少なくとも１つの撮像装置とは別々に、調整することができることを特徴とする視認装置。
【請求項１７】
第１および第２の視認通路を含む視認装置であって、前記各視認通路はその一方の端部のところに位置する接眼レンズ組立体を有し、前記第１及び／又は第２の視認通路は、ユーザの要件に適合するように、前記接眼レンズ組立体間の両眼間の間隔を調整することができるようにするために、相互に対して調整することができ、前記視認装置は、前記第１および／または第２の視認通路から映像を捕捉するための少なくとも１つの撮像装置を含み、前記装置は、前記第１および第２の視認通路の向きの相対角度を検出するための検出手段と、検出した前記向きを示す電子信号を受信する前記少なくとも１つの撮像装置の制御手段とを含むことを特徴とする視認装置。
【請求項１８】
前記少なくとも１つの撮像装置の制御手段が、前記信号を受信し、前記映像および／または前記少なくとも１つの撮像装置、の向きを調整することを特徴とする、請求項１７に記載の視認装置。
【請求項１９】
前記映像および／または前記少なくとも１つの撮像装置は、水平面または他の所定の面またはユーザが選択することができる面とほぼ一直線に維持されるように、前記向きが調整されることを特徴とする、請求項１８に記載の視認装置。
【請求項２０】
前記制御手段は、ギア装置、電子モータ等のうちのいずれかまたはその任意の組合せを含むことを特徴とする、請求項１９に記載の視認装置。
【請求項２１】
前記視認装置は、前記第１および第２の視認通路および／または撮像装置および／またはその構成要素、を所定の位置に戻すリセット機能または調整機能を含むことを特徴とする、請求項１〜２０の何れか１項に記載の視認装置。
【請求項２２】
２つ以上の枢着ジョイントにより接続している第１および第２の視認通路と双眼鏡内または上に装着されている撮像装置とを含む一組の双眼鏡である視認装置であって、両眼の間の間隔を調整するための前記通路が動いても前記撮像装置の向きが変化しないことを特徴とする視認装置。
【請求項２３】
第１および第２の視認通路を含む視認装置であって、ユーザの両眼の間の距離に適合するように位置の調整をするために、前記各視認通路またはその構成要素は、枢着軸を中心にして選択的に移動することができると共に、前記第１および／または第２の通路を通して見ることができる映像を表すデータを選択的に捕捉しおよび／または記憶することができるようにするために、少なくとも１つの撮像装置を含み、前記少なくとも１つの撮像装置は、前記枢着軸に垂直な軸の光を受光するように位置していることを特徴とする視認装置。
【発明の詳細な説明】
【技術分野】
【０００１】
本出願が関連する本発明は、双眼鏡を向ける視界を表すある映像に関するデータを捕捉することができるように、一組の双眼鏡内に少なくとも１つの撮像装置または複数の撮像装置を組み込むための装置および方法に関する。撮像装置またはそれに接続している他の装置は、さらに処理するために上記１つまたは複数の映像の以降の表示および／または記憶のために使用することができる。本発明のある形態の場合には、上記撮像装置は、電子センサであっても、または光化学フィルムであってもよい。
【背景技術】
【０００２】
周知のように、双眼鏡は、第１および第２の映像「通路」からなっていて、第１の通路は、接眼レンズに接するユーザの左右の目の一方用の接眼レンズに通じている前部レンズを備えていて、第２の通路は、ユーザの他方の目のところに当てるための接眼レンズと一緒に位置する。通常、各通路は、以後対物レンズと呼ぶ対物またはズーム・レンズを備え視野に焦点を合わせることができるようにするための焦点合わせ手段備える。
【０００３】
ある装置の場合には、対物レンズと接眼レンズ（eyepieces）との間の各通路内に１つまたは複数のミラーまたはプリズムを設置することができる。通常、第１および第２の通路の縦軸に平行に走る両方の通路に共通な枢着軸を中心にして、第１および第２の通路が枢動できるようにする調整手段付きのフレームが中間に位置していて、第１および第２の通路を接続している。枢着軸を中心とする動きにより、接眼レンズがユーザの目の前のある位置に移動するように、視認通路を相互に対して移動することができる。通常、上記の動きにより、接眼レンズの間の間隔が広くなったり、狭くなったりして、ユーザはユーザの目の間の間隔により選択した対象物を最もよく見ることができる。
【０００４】
対物レンズを通る入射光が適当なセンサの方向に向けられ、出力が適当な手段によりデジタルの形に処理される場合には、電子視認画面で対象物を見ることもできる。センサは、一方または両方の通路のケースに固定することができるが、本発明の場合、双眼鏡のケース内のまたはこのケースに取り付けられている任意の視認画面上に１つまたは複数のセンサが捕捉した映像を表示することが必ずしも必要なことではないことを理解されたい。
【０００５】
第１および第２の視認通路の向きの角度を、ユーザの物理的視認要件に合わせて調整する必要があるが、映像用の１つまたは複数のセンサが、その各通路上の固定位置に装着されている場合には、センサの位置が通路の動きと一緒に移動するので、向きおよび向きが変化する恐れがある場合には、各視認通路を通して見る映像を捕捉しようとすると困った問題が起こる。
【０００６】
この問題を克服する従来の解決方法は、双眼鏡のケースの視認通路の枢着軸にあるヒンジに対して１つまたは複数のセンサを固定するように、装着することであり、および／または上記各通路の対物レンズのレンズ以外に１つまたは複数のレンズを使用するという方法であった。この解決方法に関連する必然的な問題は、２つの通路により見ている映像と、それ自身の独立している１つまたは複数のレンズにより１つまたは複数のセンサが捕捉する映像とを相対的に整合（alignment）しなければならないことである。双眼鏡を使用する当業者であれば、倍率が大きくなればなるほど、正確に整合するのがますます難しくなることを理解することができるだろう。
【０００７】
この解決方法のもう１つの問題は、焦点合わせの問題である。焦点の調整は、通常、普通の使用状態で行う必要があり、双眼鏡の倍率が大きければ大きいほど、上記調整がますます重要になる。双眼鏡の従来の焦点合わせ動作が、カメラの焦点合わせシステムまたはカメラのセンサにリンクしていない限り、映像の品質が最高の品質にならないのは仕方のないことである。
【０００８】
通路内のセンサおよび任意の付随するレンズ・システムを適当に位置決めすれば、双眼鏡の従来の焦点合わせ機構を使用した場合、センサに入射する映像の焦点も保持され、それ故それ自身の独立しているレンズ・システムを含むカメラの制限は克服される。好適な配置は、センサを上記の１つまたは複数の通路内に装着することである。接眼レンズの両眼間の間隔を調整する通常のプロセス中、相互に対して調整された１つまたは複数の通路内の固定位置にセンサが装着されている場合には、１つまたは複数のセンサの向きが変化することに留意されたい。双眼鏡の軸に対するセンサの元の整合がどうであれ、あとで両眼の間の間隔を調整すると、通常は水平面である双眼鏡の軸に対する捕捉した映像がかなり回転することになる。１つのセンサが各通路に取り付けられている場合には、映像は反対方法に回転することに留意されたい。
【０００９】
この映像の回転は、１つの映像を捕捉する場合も問題になるが、目的の１つが、第１および第２の通路から捕捉した映像を三次元映像のペアを形成するための映像のペアとして使用することである場合には特に問題になる。何故なら、これをうまく使用するためには、通常、共通の水平面に対するように、使用する２つの映像がほぼ同じ方向を向いているということが重要だからである。このような方向を向いていない場合には、非常に多くの捕捉後の処理および調整を行わないと三次元映像をうまく形成することができない。
【発明の開示】
【発明が解決しようとする課題】
【００１０】
本発明の目的は、調整が、電子的にまたは光化学フィルム上で見た映像の捕捉に決して悪影響を及ばさないようにしながら、一組の双眼鏡の両眼の間の間隔を調整することができるようにする方法および装置を提供することである。このことは、両眼の間の間隔をどのように調整しても、装置が動作するように設計されている所定の面内にほぼ映像が残るようにする１つまたは複数の機構を設置することにより行われる。
【課題を解決するための手段】
【００１１】
第１の態様によれば、本発明は、第１および第２の視認通路を含む視認装置を提供する。各通路は、本体と、その一方の端部に位置する接眼レンズ組立体（eyepiece assembly）とを含む。上記通路および／または接眼レンズ組立体は、ユーザの両眼の間隔に適合するように位置を調整するように選択的に移動することができ、上記視認装置が、第１および／または第２の通路を通して見ることができる映像を表すデータを選択的に捕捉しおよび／または記憶することができるようにする少なくとも１つの撮像装置を含むことを特徴とする。
【００１２】
本発明の一実施形態は、第１および第２の視認通路を含む視認装置を提供する。各通路は、本体と、その一方の端部に位置する接眼レンズ組立体とを含む。上記接眼レンズ組立体は、ユーザの両眼の間の間隔に適合するように位置を調整することができるように、その本体に対して選択的に移動することができる。少なくとも１つの視認通路は、第１および／または第２の通路を通して見ることができる映像を表すデータを選択的に捕捉しおよび／または記憶することができるようにする少なくとも１つの撮像装置を含んでいて、接眼レンズ組立体は、第１および第２の視認通路の各本体および撮像装置とは独立して調整することができることを特徴とする。
【００１３】
通常、第１および第２の視認通路の本体は、１つのユニットとして提供される。
【００１４】
通常、撮像装置は、第１および第２の視認通路の本体に対して固定位置に留まる。これにより、撮像装置は、各通路内の接眼レンズ組立体の前のある位置のところの通路を通してみる視野を表すデータを捕捉することができ、それにより接眼レンズ組立体にどのような調整を行っても、１つまたは複数の撮像装置の向きは必ず一定のままであり、そのためどのような向きの調整を行っても、必ず自分たちが捕捉している映像の向きが同じ向きを向いたままになる。
【００１５】
接眼レンズ組立体を、視認通路の複数の本体または１つの本体に対してそれぞれ調整することができるようにすることにより、特定のユーザの要件に適合するように必要な両眼間の調整を行うことができる。
【００１６】
通常、各視認通路内のライトパスは、一連の相対的な角度で配置されているミラーまたはプリズムを介して前部レンズから接眼レンズへ延びる。この場合、上記ミラーまたはプリズムのうちのいくつかは、各通路の固定部分上に装着されていて、他のミラーまたはプリズムは相対的に移動することができる接眼レンズ部分内に装着されている。
【００１７】
他の態様によれば、本発明は、第１および第２の視認通路を含む視認装置を提供する。各視認通路は、その一方の端部に位置する接眼レンズ組立体を有する。上記第１および第２の視認通路は、接眼レンズ組立体の間の両眼の間隔を、ユーザの要件に適合するように調整することができるように、相互に対して調整することができる。上記視認装置は、第１および／または第２の視認通路から映像を捕捉するための少なくとも１つの撮像装置を含み、この装置が、第１および第２の視認通路の向きの相対角度を検出するための検出手段と、検出した向きを示す電子信号を受信するための上記撮像装置用の制御手段とを含むことを特徴とする。
【００１８】
一実施形態の場合には、各撮像装置用の電子制御手段は、信号を受信し、次に、撮像装置が視認通路と共に移動すると、ユーザが調整することができるまたはできない水平面または他の所定の面と必ずほぼ一直線（alignment）のままでいるように、撮像装置が捕捉する１つまたは複数の映像の向きを電子的に調整する。
【００１９】
他の実施形態の場合には、視認通路の向きを示す信号は、例えば共通の水平面であってもよい基準面に対して必要な向きに撮像装置を効果的に維持するために、１つまたは複数の撮像装置が、視認通路の動きを追随するのではなく、実際には対向して移動するように撮像装置を向けるために、１つまたは複数の撮像装置の制御手段により使用される。この装置の場合には、制御手段は、撮像装置を装着することができ、それ故、移動することができるギア装置の作動を含む。他の装置の場合には、調整は、電子信号または制御を使用しないで、簡単なギア・システムにより行われる。
【００２０】
どの実施形態の場合でも、双眼鏡は、通常はユーザにより選択された場合、第１および第２の視認通路および撮像手段が、「デフォルト」設定またはユーザが選択した他の設定に必ず戻り、それにより各角度位置における任意の「ふらつき」を確実に除去する「リセット」または調整機能を含むことができる。
【００２１】
通常、１つまたは複数の撮像装置により、視認通路からデータを捕捉することができるようにするために、多数の視認構成を使用することができる。選択した特定の構成は、製品のコスト制限、使用する特定の向きの補償装置および／または視野の必要な明瞭度のうちのどちらかまたは任意の組合せに依存するものであってもよい。
【００２２】
一実施形態の場合には、視認通路のうちの１つが、その通路を通して見ている目に対して空白（blank）になり、一方、対象光線が撮像装置に入射した場合、その通路を通る視野の映像データが捕捉される。
【００２３】
通常、撮像装置はセンサである。
【００２４】
この実施形態の場合には、ライトパスを形成するために使用するミラーまたはプリズムのうちのどちらか１つを、センサへの経路と接眼レンズへの経路との間のライトパスを逸らすために移動することができる。一実施形態の場合には、ミラーまたはプリズムを、おそらくレンズおよび／または追加ミラーまたはプリズムを介して、光がセンサ上に直接入射できるようにするライトパスから移動するように設置することができる。
【００２５】
通常、どの実施形態の場合でも、撮像装置による映像データの捕捉は、ユーザによるトリガの少なくとも１回の作動により行われる。この場合、捕捉したい視野を見ている場合、ユーザはトリガまたは他の装置のもう１回の作動により映像データ捕捉を開始するために、トリガ手段を作動することができる。映像データの捕捉は、静止映像またはビデオ（動いている）映像に対して行うことができる。
【００２６】
一実施形態の場合には、トリガの作動は、２つの段階プロセスを含む。第１の作動の際の第１の段階は、ミラーまたはプリズムを動かすことであり、第２のトリガ作動は、映像データの捕捉を開始することである。通常、ミラーまたはプリズムは、トリガが解放された後で元に戻る。
【００２７】
各視認通路用に１つずつ２つの撮像装置を使用している実施形態では、ある構成の場合、任意の所与の時間に撮像装置のうちの１つの出力を表示する１つまたは２つの電子視認画面を使用する。または２つの画面を使用している場合には、各撮像装置からの出力が表示され、または別の方法としては、撮像装置の一方からだけの出力が表示される。
【００２８】
他の構成の場合には、ライトパスが視認通路に沿って移動すると、ビーム・スプリッタが視認通路内に位置していて、そのためライトパスは２つの成分、すなわち、撮像装置に向けられる第１の成分、および接眼レンズに向けられる第２の成分に分割される。
【００２９】
他の態様によれば、本発明は、両眼の間の間隔の調整のために通路が移動しても、撮像装置の向きが変化しないことを特徴とする、視認装置を提供し、この視認装置は、２つ以上の枢着ジョイントにより接続され、第１および第２の視認通路を含む一組の双眼鏡である。
【００３０】
通常、このような装置は、平行四辺形タイプの構成をしている。
【００３１】
さらに他の態様によれば、本発明は、第１および第２の視認通路を含む視認装置を提供する。各視認通路またはその構成要素は、ユーザの両眼の間の間隔に適合するように位置の調整ができるようにする枢着軸を中心にして選択的に移動することができ、第１および／または第２の通路を通して見ることができる映像を表すデータを選択的に捕捉および／または記憶することができるようにするために、少なくとも１つの撮像装置を含み、上記少なくとも１つの撮像装置が、上記枢着軸に垂直な軸の光を受信するために位置していることを特徴とする。
【００３２】
この装置の場合には、撮像装置が捕捉した映像は、映像の電子的修正を必要としないように、または撮像装置を動かさなくてもよいように、視認通路の間の角度がどちらを向いていても、正しい方向を向いている。
【００３３】
添付の図面を参照しながら本発明の特定の実施形態について以下に説明する。
【発明を実施するための最良の形態】
【００３４】
最初に、図１ａおよび図１ｂを参照すると、これらの図は、本発明の第１の実施形態を示す。これらの図は、一組の双眼鏡２の平面図であり、双眼鏡２を使用している場合のユーザの方向から見た端部立面図である。双眼鏡２は、第１および第２の視認通路４、６を含む。各通路４、６は、光が通路に入り、通路に沿ってそれぞれ視認通路４、６用の接眼レンズ組立体１０、１２に達する前端部８を有する。各接眼レンズ組立体１０、１２は、人の目および焦点手段に置くことができるレンズを有する。各通路４、６の前部８からのライトパスにより、双眼鏡を向ける視野を各接眼レンズ組立体１０、１２に移動することができる。
【００３５】
各視認通路は４、６、視野を拡大することができるその内部に位置する少なくとも１つの拡大レンズを含んでいて、ライトパスは、ミラーおよび／またはプリズム構成により、視認通路４、６に沿って制御され、ある方向に向けられる。ミラーおよびプリズムの正確な構成は、特定の要件に適合するように選択することができ、それ自身は本明細書に記載する本発明にとって重要なものではない。さらに、ミラー構成をまたはその一部を、特定の要件に適合するように電子視認システムにより置換することができる。この実施形態の場合、双眼鏡は、また、それぞれの上に位置するセンサの形をしている撮像装置１４、１６を含む。これらの撮像装置１４、１６により、１つまたは複数の視認通路に沿って、ライトパスにより運ばれる視野を表すデータを捕捉することができる。各撮像装置４、６は、静止映像を形成することができるように、別の方法としては動くビデオ映像を形成するためにある時間内のデータを捕捉することができるように、データを選択的に捕捉できるという点でカメラとしての働きをする。どの実施形態の場合でも、データの捕捉は、この場合は、各センサを作動させ、各視認通路内のライトパスに露出するボタン１８であるトリガ手段をユーザが作動することにより行われる。次に、捕捉したデータを、以降の処理のためにメモリ内に記憶することができるし、及び／又は表示画面を介して表示することができる（この実施形態には図示せず）。この実施形態の場合には、撮像装置１４は、ライトパスを視認通路上に一時的に逸らすために、視認通路内のミラーの動きにより視認通路４からデータを捕捉するためのものであり、撮像装置１６は、ライトパスを撮像装置上に一時的に逸らすために、その通路内のミラーの動きにより視認通路６からデータを捕捉するためのものである。
【００３６】
しかし、すでに説明したように、データを捕捉するために必要な場合に、撮像装置をライトパスに露出することができるように別の構成を使用することもできる。これら図面に示す実施形態をすでに説明した各構成の代わりに使用することもできる。
【００３７】
これら実施形態すべてに共通な１つの問題は、接眼レンズ組立体、および視認通路４、６を一緒に結合しているフレーム２２内に通常位置する、枢着軸に対してユーザが視認通路を調整した場合に起こる恐れがある視認通路の従来の位置の変化をどのように考慮に入れるかという問題である。調整を行うには、ユーザの目の前に置くために接眼レンズを正しく位置することができるように、接眼レンズを矢印２４、２６で示すように移動させなければならない。この調整を行うと、通常、撮像装置の向きも変わることになり、それがすでに説明した理由から問題になる。
【００３８】
図１ａおよび図１ｂの場合には、これらの問題は、視認通路４、６の本体４’、６’を相互に固定することができるようにし、それによりフレーム２２と一緒に１つのユニットを形成することにより克服できる。接眼レンズ組立体１０、１２は、ユーザの目の位置に一致するようにその位置を調整することができるようにするために、図に示すように、各軸２８、３０を中心にしてそれぞれ別々に移動することができる。撮像装置１４、１６が、移動しない本体部分上に装着されているために、撮像装置の相対的向きはずっと固定されているので問題はない。すでに説明したように、同時に、接眼レンズ組立体を調整することができる各位置で、視認通路に沿って接眼レンズ組立体の方向にライトパスを依然として必ず向けることができるようにしておきながら、接眼レンズ組立体を調整することができる適当なミラーおよび／またはプリズム装置を使用している。
【００３９】
ここで図２ａおよび図２ｂを参照すると、これらの図面は本発明のもう１つの実施形態を示す。図２ａは、各前端部１０８および接眼レンズ組立体１１０、１１２を含む視認通路１０４、１０６を備える一組の双眼鏡２を示す。この場合、接眼レンズ組立体は、フレーム１２２により結合している各視認通路を含む双眼鏡の固定部分である。この実施形態の場合には、フレーム１２２は、枢着軸１２８を含んでいて、視認通路を位置決めし、それにより接眼レンズ組立体をユーザの両眼の間の間隔に適合させるために、矢印１２４、１２６により示すように、この枢着軸を中心にして移動させることができる。この例の場合には、視認通路１０４に沿ってライトパスから映像を選択的に捕捉することができるように、撮像装置１１４を１つだけ使用している。
【００４０】
図の位置において、撮像装置１１４は、必要な水平面内に位置していて、そのため撮像装置を介して捕捉したデータは、映像を表示するための正しい方向を向いている。しかし、図２ｂに示すように、視認通路が枢着軸１２８を中心にして移動すると、撮像装置１１４も向きを変え、そのため撮像装置は、必要な水平面内にもはや位置しなくなる。それ故、双眼鏡は、各例において、視認通路の相対的な角度および位置を検出する角度検出手段を備える。角度が検出されると、捕捉データの処理も、これから説明するように適合するように調整することができる。
【００４１】
図２ｂのいくつかの各例は、撮像装置が捕捉する映像１３０のエリア、および図に示す視認通路内の撮像装置の位置に対する映像の向きを示す。この実施形態によれば、撮像装置の向きの角度が検出され、正しい向きでエリア１３２内に位置していて、エリア１３０の部分集合（subset）サブセットであるデータを選択した際に考慮に入れられる。それ故、使用するデータはエリア内でもっと小さいけれども、データは正しい向きを向いていて、そのためエリア１３２のデータを正しい向きの映像を形成するために使用することができる。
【００４２】
ここで図３ａおよび図３ｂを参照すると、これらの図面は本発明のもう１つの実施形態である。この実施形態の場合には、それぞれ前端部２０８および接眼レンズ組立体２１０、２１２を有する視認通路２０４、２０６を備える図３ａのものと同じ構成要素を使用している。フレーム２２２は、枢着軸２２８を備えていて、ユーザはこの軸を中心にして視認通路２０４、２０６を選択的に回転することができる。
【００４３】
この場合も、視認通路２０４の角度を検出するために角度位置検出装置が使用され、または両方の通路を必要とした場合には、２つの撮像装置が使用される。この場合、この実施形態は１つの撮像装置に関連して説明するが、必要に応じて、２つの撮像装置と一緒に使用することもできる。
【００４４】
この場合、撮像装置が、自分が位置する視認通路とは別々に移動することができるようにするために、撮像装置は、同じように移動できるようにサポートを含む視認通路とは別々にサポートされている。それ故、動作の順序は下記にようになる。
１．視認通路位置が、接眼レンズ組立体についてのユーザの要件に適合するように、枢着軸２２８を中心にして調整される。
２．角度位置検出手段により１つまたは複数の視認通路の位置が検出される。
３．角度位置を示す信号が発生し、上記信号が撮像装置マウント２３０用の制御手段に送られる。
４．撮像装置が、通常は水平面である必要な向きに保持されるある位置に撮像装置を移動するために、マウント用の駆動手段が作動される。
【００４５】
このようにして、必ず撮像装置は、図３ｂに示すように、双眼鏡が、撮像装置および視認通路が水平面内に位置する第１の位置、および矢印２３２で示すように、視認通路が移動した第２の位置に位置するような正しい向きにそのまま位置するように、視認通路の運動とは反対方向に効果的に移動することができる。今度は、撮像装置・マウントが、このマウントを必要な水平面内に保持する方向２３４に移動するために、通常はギア機構である駆動手段により移動する。
【００４６】
他の実施形態の場合には、撮像装置の動きは、純然たる機械的手段により行うことができ、それにより視認通路の動きは、機械的ギア装置により撮像装置の反対方向の運動に変換される。さらに他の装置の場合には、マウント２３０を枢着軸２２８上に装着することができ、それにより枢着軸に固定することができる。１つまたは複数の機構を設置することができ、そのため２つの通路の相対的動きを補償するための撮像装置の動きは、対物レンズから撮像装置へのライトパスの距離を変えないので、映像は確実にその焦点を保持することができる。通常、このような装置は、撮像装置上に入射するライトパスに垂直な面内の撮像装置を適当に回転する機構である。
【００４７】
図４ａを参照すると、この図は、その内部のライトパスを示す上記の本発明の実施形態の略図である。双眼鏡３０２は、それぞれ前端部３０８および接眼レンズ組立体３１０、３１２を有する視認通路３０４、３０６、および視認通路３０４から映像を選択的に捕捉することができるようにする撮像装置３１４を含む。ユーザは、視認通路３０４、３０６は、枢着軸３２８を中心にして選択的に回転することができる。視認通路３０４は、外からの光３３６を矢印３４０で示すように接眼レンズ組立体３１０、および／または矢印３４２で示すように撮像装置３１４の方向に選択的に向けるための、反射面またはプリズム３３８を含む。
【００４８】
図４ｂを参照すると、捕捉エリア３３０が形成する面が、視認通路３０４、３０６の枢着軸３２８に平行になるように、撮像装置３１４は視認通路３０４内に位置する。捕捉エリア３３０の面は、視認通路３０４、３０６が枢動した場合も軸３２８に平行のままである。それ故、撮像装置３１４が捕捉した映像は、視認通路間の角度とは無関係に、また追加の修正機構を使用しなくても正しい向きで供給される。
【００４９】
それ故、本明細書に記載する各実施形態を使用すれば、接眼レンズおよび／または視認通路の特定の位置が何処であれ、双眼鏡から撮像装置が捕捉したデータを、正しい向きで以降の視認に提示することができる。
【図面の簡単な説明】
【００５０】
【図１ａ】接眼レンズ組立体が相互に移動することができる、本発明の第１の実施形態を示す。
【図１ｂ】接眼レンズ組立体が相互に移動することができる、本発明の第１の実施形態を示す。
【図２ａ】本発明のもう１つの実施形態を示す。
【図２ｂ】本発明のもう１つの実施形態を示す。
【図３ａ】本発明のさらにもう１つの実施形態を示す。
【図３ｂ】本発明のさらにもう１つの実施形態を示す。
【図４ａ】本発明の実施形態の略図を示す。
【図４ｂ】本発明の実施形態の略図を示す。
【図１ａ】
2007508593.tif 000003
【図１ｂ】
2007508593.tif 000004
【図２ａ】
2007508593.tif 000005
【図２ｂ】
2007508593.tif 000006
【図３ａ】
2007508593.tif 000007
【図３ｂ】
2007508593.tif 000008
【図４ａ】
2007508593.tif 000009
【図４ｂ】
2007508593.tif 000010
【国際調査報告】
2007508593.tif 000011
2007508593.tif 000012
2007508593.tif 000013